(57)【要約】【課題】壁寄設置、及び窓寄設置の両方を実現する表示機器用スタンドを提供する。【解決手段】本発明の一態様にかかる表示物用スタンドは台座部１０と、台座部１０から立設され、板状の表示物である表示機器３０を支持する支持部２０と、台座部１０に対して支持部２０をスライド移動させるスライドレール１５と、を備えたものである。さらに、支持部２０を上下に折り畳むヒンジをさらに備え、ヒンジ２４の上側、及び下側のそれぞれにおいて、表示機器３０が支持部２０に取り付けられていてもよい【選択図】図１
2011221428.tif 000002
【特許請求の範囲】
【請求項１】
台座部と、
板状の表示物を支持するため、前記台座部から立設された支持部と、
前記台座部に対して前記支持部をスライド移動させるスライド機構と、を備える表示物用スタンド。
【請求項２】
前記支持部を折り畳むヒンジをさらに備え、
前記ヒンジの上側、及び下側のそれぞれにおいて、前記表示物が前記支持部に取り付けられるように、前記支持部が複数設けられている請求項１に記載の表示物用スタンド。
【請求項３】
前記台座部には、前記スライド機構のスライド位置に応じて、位置を変更可能なバランスウェイトが設けられている請求項１、又は２に記載の表示物用スタンド。
【請求項４】
請求項１乃至３のいずれか１項に記載の表示物用スタンドと、
前記表示物用スタンドに支持された表示物と、を備えた表示システム。
【請求項５】
前記表示物が表示画面を有する電子機器であり、
前記電子機器で発生する熱を放熱するダクトが前記台座に対して離接する方向に設けられている請求項４に記載の表示システム。
【請求項６】
台座部と、
前記台座部から立設され、第１の板状表示物を支持する第１の支持部と、
前記第１の支持部の上端にヒンジを介して取り付けられ、第２の板状表示物を支持する第２の支持部と、を備えた表示物用スタンド。
【請求項７】
前記第１の板状表示物と前記第２の表示物は、表示画面を有する電子表示機器であり、
前記第１の支持部と、前記第２の支持部とを前記ヒンジにより折り畳んだ状態において、前記第１の板状表示物の熱源と前記第２の板状表示物の熱源とが互いにずれる位置に配置されている請求項６に記載の表示用スタンド。
【発明の詳細な説明】
【技術分野】
【０００１】
本発明は、表示物用スタンド、及び該スタンドを用いた表示システムに関し、特に詳しくは、看板、ポスター板、画像表示装置（ディスプレイ）等の板状の表示物を支持する表示物用スタンド、及びそれを用いた表示システムに関する。
【背景技術】
【０００２】
近年、液晶ディスプレイなどの薄型ディスプレイが幅広い用途で利用されている。このような薄型ディスプレイは、用途に応じて設置位置も異なる。例えば、窓際に寄せて設置する窓寄設置や壁際に寄せて設置する壁寄設置で利用される。壁寄設置の場合には、表示面の裏面を壁に向けて設置する。また、窓寄設置の場合には、表示面を窓に向けて設置する。例えば、薄型ディスプレイを宣伝広告に利用する場合、窓寄設置とした状態で、窓の外を通る通行人に向けて宣伝広告画像を表示することができる。あるいは、壁寄設置とした状態で、室内にいる客に向けて宣伝広告画像を表示することができる。
【０００３】
特許文献１には、壁寄設置するためのスタンドが開示されている。このスタンドでは、台座部の移動に連携して壁寄せ面から出没可能に構成された支持部が設けられている。
【先行技術文献】
【特許文献】
【０００４】
【特許文献１】特開２００８−９６５１３号公報
【発明の概要】
【発明が解決しようとする課題】
【０００５】
薄型ディスプレイを壁際又は窓際に寄せて設置する場合、薄型ディスプレイから壁や窓までの空間が無駄になってしまう。特に大型の薄型ディスプレイを用いる場合、スタンドの安定性を向上するために、スタンドの設置面積も広くする必要がある。このため、薄型ディスプレイの裏面から壁までのスペース、又は薄型ディスプレイの表示面から窓までのスペースが大きくなってしまう。従って、窓寄設置とする場合、窓と薄型ディスプレイが近接するように配置することが好ましい。また、壁寄設置とする場合、壁とディスプレイの表示面が近接するように配置することが好ましい。しかしながら、特許文献１に記載のスタンドでは、このような窓寄設置、及び壁寄設置の両方を実現することができない。
【０００６】
従って、薄型ディスプレイの設置状態を変更する場合、異なるスタンドに薄型ディスプレイを付け替える必要が生じてしまう。すなわち、窓寄設置から壁寄設置にレイアウトを変更する際、薄型ディスプレイを窓寄設置用のスタンドから、壁寄設置用のスタンドに取り付け直す必要がある。特に、大型の薄型ディスプレイの設置には、多大な時間や手間がかかってしまうという問題がある。このような問題点は、薄型ディスプレイだけでなく、看板やポスター板などの場合でも生じ得る。すなわち、ディスプレイ、ポスター板、看板などの板状の表示物のスタンドにおいて、壁寄設置、及び窓寄設置の両方を実現することができないという問題点がある。
【課題を解決するための手段】
【０００７】
本発明の第１の態様にかかる表示物用スタンドは、台座部と、板状の表示物を支持するため、前記台座部から立設された支持部と、前記台座部に対して前記支持部をスライド移動させるスライド機構と、を備えるものである。これにより、１つのスタンドで、壁寄設置、及び窓寄設置の両方を実現することができる。
【０００８】
本発明の第２の態様にかかる表示物用スタンドは、上記の表示物用スタンドであって、前記支持部を折り畳むヒンジをさらに備え、前記ヒンジの上側、及び下側のそれぞれにおいて、前記表示物が前記支持部に取り付けられるものである。これにより、小型化することができ、搬送を容易に行うことができる。
【０００９】
本発明の第３の態様にかかる表示物用スタンドは、上記の表示物用スタンドであって、前記台座部には、前記スライド機構のスライド位置に応じて、位置を変更可能なバランスウェイトが設けられているものである。これにより、安定して設置することができる。
【００１０】
本発明の第４の態様にかかる表示システムは、上記の表示物用スタンドと、前記表示物用スタンドに支持された表示物と、を備えたものである。これにより、壁寄設置、及び窓寄設置の両方を実現することができる。
【００１１】
本発明の第５の態様にかかる表示システムは、上記の表示物用スタンドと、前記表示物が表示画面を有する電子機器であり、前記電子機器で発生する熱を放熱するダクトが前記台座に対して離接する方向に設けられているものである。
【００１２】
本発明の第６の態様にかかる表示物用スタンドは、台座部と、前記台座部から立設され、第１の板状表示物を支持する第１の支持部と、前記第１の支持部の上端にヒンジを介して取り付けられ、第２の板状表示物を支持する第２の支持部と、を備えたものである。これにより、小型化することができ、搬送を容易に行うことができる。
【００１３】
本発明の第７の態様にかかる表示物用スタンドは、上記の表示物用スタンドであって、前記第１の板状表示物と前記第２の表示物は、表示画面を有する電子表示機器であり、前記第１の支持部と、前記第２の支持部とを前記ヒンジにより折り畳んだ状態において、前記第１の板状表示物の熱源と前記第２の板状表示物の熱源とが互いにずれた位置に配置されているものである。これにより、局所的な温度上昇を防ぐことができる。
【発明の効果】
【００１４】
本発明によれば、壁寄設置、及び窓寄設置の両方を実現する表示物用スタンド、及び表示ステムを提供することができる。
【図面の簡単な説明】
【００１５】
【図１】本実施形態にかかるスタンドの構成を示す正面図である。
【図２】本実施形態にかかるスタンドの構成を示す側面図である。
【図３】本実施形態にかかるスタンドの構成を示す背面図である。
【図４】本実施形態にかかるスタンドの構成を示す正面斜視図である。
【図５】本実施形態にかかるスタンドの構成を示す背面斜視図である。
【図６】本実施形態にかかるスタンドのスライド機構を示す斜視図である。
【図７】本実施形態にかかるスタンドのスライド機構を示す斜視図である。
【図８】本実施形態にかかるスタンドに設けられた支持部が中央のスライド位置にある状態を示す斜視図である。
【図９】本実施形態にかかるスタンドに設けられた支持部が後方のスライド位置にある状態を示す斜視図である。
【図１０】折り畳み状態のスタンドが構成を示す正面図である。
【図１１】折り畳み状態のスタンドの構成を示す側面図である。
【図１２】折り畳み状態のスタンドの構成を示す背面図である。
【図１３】非折り畳み状態のスタンドのヒンジの構成を示す背面斜視図である。
【図１４】折り畳み状態のスタンドのヒンジの構成を示す背面斜視図である。
【図１５】スタンドに設けられた放熱構造を示す断面図である。
【図１６】スタンドに設けられたダクト内の気流を示す断面図である。
【図１７】表示機器に設けられた熱源の位置関係を模式的に示す背面図である。
【図１８】表示機器に設けられた熱源の位置関係を模式的に示す背面図である。
【発明を実施するための形態】
【００１６】
以下、本発明の実施の形態について図面を参照して説明する。以下の説明は、本発明の好適な実施の形態を示すものであって、本発明の範囲が以下の実施の形態に限定されるものではない。以下の説明において、同一の符号が付されたものは実質的に同様の内容を示している。
【００１７】
本実施の形態にかかる表示物用スタンド（以下、スタンドとする）の全体構成について、図１乃至図５を用いて説明する。図１はスタンドの正面図、図２は側面図、図３は背面図、図４は正面斜視図、図５は背面斜視図である。以下の説明において、スタンドに取り付けられた表示機器の表示面側を前方とし、背面側を後方とする。
【００１８】
本実施形態にかかるスタンド１は、壁寄設置、及び窓寄設置の両方に用いることができる兼用スタンドである。スタンド１は、台座部１０と、支持部２０とを有している。そして、支持部２０は、台座部１０から立設し、表示物である表示機器３０を支持している。支持部２０が、２つの表示機器３０を支持している。２つの表示機器３０は、例えば、同じ大きさの薄型ディスプレイであり、上下に並んで配置される。ここでは、上側の表示機器３０を表示機器３０ａとし、下側の表示機器３０を表示機器３０ｂとして図示している。具体的には、表示機器３０としては、４２インチ型、又は３２インチ型の液晶ディスプレイを用いることができるが、その大きさは任意に決定することができる。
【００１９】
図１に示すように、表示機器３０は正面視において矩形状になっている。表示機器３０は、正面側に宣伝広告などの画像を表示する。表示機器３０を支持部２０に固定することで、表示機器３０が所定の高さで、立てられた状態となる。これにより、視認容易な状態とすることできる。２つの表示機器３０をスタンド１に取り付けることで、２つの表示画面を有する表示システムが構成される。例えば、２つの表示機器３０により、等身大の人物などを表示することができる。
【００２０】
台座部１０は、カバー１１、バランスウェイト１２、バランスウェイト１３、ウェイト１４、キャスター１６、脚部１７、ベース１９を有している。ベース１９は、台座部１０の基台となる部分であり、上面視において、ほぼ矩形の板状になっている。そして、ベース１９の上面には、カバー１１と、バランスウェイト１２、１３とが装着されている。カバー１１と、バランスウェイト１２、１３とは、ベース１９に対して脱着可能に取り付けられている。カバー１１とバランスウェイト１２、１３は、支持部２０を台座部１０に対してスライドさせるためのスライドレールなどをカバーする。なお、スライド構造の詳細については後述する。
【００２１】
ベース１９の下面には、キャスター１６が取り付けられている。例えば、４つのキャスター１６は、ベース１９の四隅近傍にそれぞれ設けられている。さらに、ベース１９の下面には、脚部１７が設けられている。例えば、４つの脚部１７がベース１９の四隅近傍にそれぞれ設けられている。スタンド１を搬送する場合、接地したキャスター１６が回転するので、容易に搬送することができる。そして、スタンド１を所望の位置まで搬送して、設置する際は、脚部１７を伸長させて、接地させる。また、ベース１９の下面には、転倒を防止するためのウェイト１４が設けられている。ウェイト１４は、ＳＵＳ（ステンレス鋼）などの金属によって形成されている。これにより、スタンド１における重心位置を下げることができ、設置時の安定性を向上することができる。
【００２２】
次に、２つの表示機器３０を支持する支持部２０の構成について説明する。支持部２０は、支柱２１、背面化粧板２２、ダクト２３、ヒンジ２４、フレーム２５、パッド２６、ヒンジストッパ２８を有している。支持部２０は、後に詳述するように、ヒンジ２４によって、上側が図２の矢印ＤＲ１方向に回動することで、折り畳み可能な構成となっている。そして、支持部２０は、ヒンジ２４の上側及び下側のそれぞれにおいて、表示機器３０を支持する。換言すると、支持部２０は、表示機器３０を支持する部分が複数設けられている。なお、図においては適宜、ヒンジ２４よりも上側の構成要素の符号にａを付し、下側の構成要素の符号にｂを付して、上下の構成要素を区別している。また、以下の説明において、符号の後に、ａ、又はｂを付さない場合、上下両方の構成要素を示しているものとする。ヒンジ２４よりも上側部分に表示機器３０ａが固定され、ヒンジ２４よりも下側部分に表示機器３０ｂが固定される。このように、支持部２０は、ヒンジ２４によって上下に分割された構成となっている。なお、それぞれの表示機器３０ａ、３０ｂを支持固定する構造については、基本的に上下同様の構成となっている。また、支持部２０のうち、表示機器３０ａを支持する部分については、支持部２０ａとし、表示機器３０ｂを支持する部分については、支持部２０ｂとして図示している。
【００２３】
支柱２１ｂは、台座部１０からヒンジ２４に至るように鉛直上方に立設している。ここでは、台座部１０から延在した２つの支柱２１ｂが横方向に離間配置されている。また、前後方向において、２つの支柱２１は同じ位置に配置されている。支柱２１の背面側には、意匠性を向上するための、背面化粧板２２が取り付けられている。ヒンジ２４の上下両側にそれぞれ背面化粧板２２が設けられている。従って、ヒンジ２４よりも上側の背面化粧板２２ａが表示機器３０ａの背面側を覆い、ヒンジ２４よりも下側の背面化粧板２２ｂが表示機器３０ｂの背面側を覆う。なお、上側の支柱２１ａについては、背面化粧板２２に覆われているため、図示されていない。支柱２１、及び背面化粧板２２は、例えば、Ａｌ（アルミニウム）等の軽量な金属板によって形成されている。
【００２４】
図３に示すように、背面化粧板２２の左右両側には、放熱用のダクト２３が設けられている。２つのダクト２３ｂが、２つの支柱２１ｂのそれぞれに１つずつに取り付けられ、２つのダクト２３ｂが２つの支柱２１ｂのそれぞれに１つずつに取り付けられる。また、図２、図４に示すように、ダクト２３の前面側には、フレーム２５が設けられている。フレーム２５は、支柱２１に取り付けられ、表示機器３０を保持している。フレーム２５は、表示機器３０を囲むように、矩形枠状に形成され、４辺に分離可能になっている。フレーム２５ａは、表示機器３０ａの外周に配置され、フレーム２５ｂは表示機器３０ｂの外周に配置される。このフレーム２５内に表示機器３０を配設して、固定する。こうすることによって、支持部２０に２つの表示機器３０が支持される。
【００２５】
それぞれの背面化粧板２２の裏側には、樹脂やゴムなどの弾性体から形成されたパッド２６が設けられている。パッド２６ａとパッド２６ｂとは、支持部２０が折り畳まれた状態で、対向するように配置される。従って、折り畳み状態では、パッド２６ａとパッド２６ｂが当接する。また、上下の背面化粧板２２を連結するヒンジストッパ２８が設けられている。ヒンジストッパ２８は、支持部２０が折り畳まれていない状態で、ヒンジ２４が回転するのを防止する。なお、ヒンジ２４による折り畳み構造については、後述する。
【００２６】
（スライド機構）
次に、台座部１０に対して支持部２０を前後方向にスライドさせる機構について、図６乃至９を用いて説明する。図６、図７は、カバー１１、及びバランスウェイト１２、１３を取り外した状態のスタンド１を示す背面斜視図である。また、図８、図９は、カバー１１、及びバランスウェイト１２、１３を取り付けた状態のスタンド１を示す正面斜視図である。図６乃至図９では、台座部１０と支持部２０の連結部分が拡大して示されている。図６、及び図８は支持部２０が通常の位置（中間位置）にある状態を示し、図７、及び図９は、支持部２０が後方側に寄せられた状態を示している。
【００２７】
図６、図７に示すように、支持部２０は、可動台２７を有している。この可動台２７から支柱２１が立設されている。また、ベース１９には、例えば、６本のスライドレール１５が固定されている。スライドレール１５は前後方向に延びている。可動台２７は、ベース１９に対してスライド可能に支持されている。支持部２０は、スライドレール１５に沿ってスライド移動する。例えば、スライドレール１５と可動台２７の間には、スムーズにスライドするための複数のローラ（不図示）等が設けられている。可動台２７は、複数のローラを介して、スライドレール１５に嵌め込まれ、前後方向の動きは許容され、上下方向の動きが規制されている。
【００２８】
図６に示す状態では、前後方向において、支持部２０がベース１９の中央近傍に配置されている。この状態から、支持部２０を後ろ側にスライドさせると、図７に示す状態となる。この状態では、支持部２０が後方のスライド端に配置され、表示機器３０の背面が台座部１０の後端に近づく。図７のスライド位置で、スタンド１付き表示システムを壁に寄せて設置する。これにより、表示機器３０の背面と壁との隙間を小さくすることができる。台座部１０に対して、支持部２０がスライドして、支持部２０が後方に移動している。これにより、壁際のデッドスペースを小さくすることができ、スペースを有効活用することができる。なお、反対に窓寄設置する場合は、支持部２０を前側にスライドさせる。そして、支持部２０を前方のスライド端に配置する。これにより、表示機器３０の表示面と窓との隙間を小さくすることができる。
【００２９】
このように、台座部１０に対して支持部２０をスライド可能に取り付けることで、１つのスタンド１で、表示機器３０の窓寄設置、及び壁寄設置の両方を実現することができる。スタンド１を壁寄設置、及び窓寄設置の兼用とする場合でも、表示機器３０の前方、又は後方のデッドスペースを小さくすることができる。例えば、壁寄設置する場合、支持部２０が後ろ側のスライド端に配置された状態とすることで、表示機器３０が台座部１０の後部に配置される。よって、表示機器３０の背面と壁が対向配置され、壁面と表示機器３０のデッドスペースを小さくすることができる。また、窓寄設置する場合、支持部２０が前側のスライド端に配置された状態とすることで、表示機器３０が台座部１０の前部に配置される。表示機器３０が表示機器３０の表示面と窓が対向配置され、窓と表示機器３０のデッドスペースを小さくすることができる。このように、壁寄設置、及び窓寄設置を兼用するスタンド１を用いることで、様々なレイアウトに対応することができる。また、スタンド１の交換が不要となるため、店舗などのレイアウト変更を効率的に行うことができる。
【００３０】
さらに、支持部２０のスライド位置を固定する場合、ストッパ１８をベース１９に取り付ける。ストッパ１８は、可動台２７と当接するように、例えば、ネジなどでベース１９に固定されている。ストッパ１８は、可動台２７の前後両側に取り付けられる。また、ストッパ１８は、前後のスライド端にも取り付けられている。図６に示す中央位置から図７に示すスライド端に移動する場合、可動台２７の後ろに当接しているストッパ１８を取り外す。そして、スライド端まで移動したら、可動台２７の前側に取り外したストッパ１８を取り付ける。ストッパ１８は、可動台２７の前後方向の移動を規制する。ストッパ１８は、側面視でＬ字状に切り欠かれた形状を有している。ストッパ１８には、切欠部分の突出部を可動台２７の下側に挿入することで、支持部２０の上下方向の微小な位置変動を規制する。すなわち、可動台２７の下面とストッパ１８の突出部上面が当接することで、支持部２０の傾斜を抑制することができる。これにより、スライド機構のクリアランスに起因する支持部２０の傾きが抑制され、設置状態をより安定させることができる。
【００３１】
ストッパ１８を取り付けた後は、図８、及び図９に示すように、カバー１１、及びバランスウェイト１２、１３によって、スライドレール１５を覆う。すなわち、カバー１１、及びバランスウェイト１２、１３をベース１９に取り付ける。これにより、意匠性を向上することができる。カバー１１は、例えば、樹脂板により形成され、バランスウェイト１２，１３は、例えば、ＳＵＳなどの金属板によって形成されている。従って、バランスウェイト１２、１３は、カバー１１よりも重くなっている。支持部２０の直下にはカバー１１が設けられている。このカバー１１は、ベース１９に対して脱着可能に取り付けられている。２つのバランスウェイト１２、１３は、ベース１９の前後において、台座部１０に対して脱着可能に取り付けられている。なお、バランスウェイト１２とバランスウェイト１３は同じ形状、大きさとなっている。例えば、１つのバランスウェイト１２、１３は、それぞれ８ｋｇ程度である。バランスウェイト１２、１３もスライドレール１５を覆うカバーとして機能する。
【００３２】
また、支持部２０のスライド位置に応じて、バランスウェイト１２、１３の位置を変更することで、安定性を向上することができる。例えば、図８に示すように、支持部２０が中央位置にある場合、バランスウェイト１２が支持部２０の前に配置され、バランスウェイト１３が支持部２０の後ろに配置される。この状態では、バランスウェイト１２とバランスウェイト１３の間に、カバー１１が配置される。一方、支持部２０が後ろ側のスライド端にある場合、すなわち、壁寄設置する場合、図９に示すように、バランスウェイト１２、１３の両方が、支持部２０よりも前側に配置される。この状態では、前から、バランスウェイト１２、バランスウェイト１３、カバー１１の順番で配置される。
【００３３】
支持部２０には、比較的重量が重い表示機器３０が取り付けられる。具体的には、４２インチ型の液晶表示装置の場合、１つの表示機器３０は、１０ｋｇ程度である。このため、壁寄設置の場合、重心が後方に寄って不安定となるおそれがある。そこで、バランスウェイト１２、１３を支持部２０よりも前側に取り付ける。これにより、前後方向における表示システムの重心位置を、台座部１０の中央近傍にすることができる。よって、表示システムを安定して設置することででき、表示システムの転倒を防止することができる。また、窓寄設置とする場合、バランスウェイト１２、１３を支持部２０の後方に配置する。すなわち、前から、カバー１１、バランスウェイト１２、バランスウェイト１３の順番で配置する。これにより、前後方向における重心位置を台座部１０の中央近傍にすることができる。このように、バランスウェイト１２、１３の配置を変更することで、表示機器３０を取り付けた状態でのスタンド１の転倒を防止することができる。よって、安定した、壁寄設置と窓寄設置が可能になる。
【００３４】
（折り畳み機構）
図３に示したように、支持部２０の背面側には、ヒンジ２４が設けられている。ヒンジ２４を設けることで、支持部２０が後方に折り曲がり、折り畳み可能となる。ヒンジ２４を用いた折り畳み機構について、図１０乃至１２を用いて説明する。図１０は、折り畳んだ状態を示す正面図、図１１は、折り畳んだ状態を示す側面図、図１２は、折り畳んだ状態を示す背面図である。正面図と背面図は基本的に同じ構成となっている。
【００３５】
図１０乃至図１２に示すように、支持部２０を折り畳むことで、表示機器３０ａの表示面が後方を向き、表示機器３０ｂの表示面が前方を向く。また、ヒンジ２４は、互いに平行な２つの折り曲げ軸を有しているため、２つの表示機器３０が平行となる。すなわち、ヒンジ２４がコの字状になるように、各軸で９０度折り曲げる。支持部２０が折り畳まれ、２つの表示機器３０の表示面が鉛直になった状態では、背面化粧板２２ａ、２２ｂが平行に対向する。この折り畳みにより、前後両方に表示画像を表示することができるようになる。例えば、店舗室内の窓際に表示システムを配置した場合、室内に向けての表示と、窓に向けての表示を同時に行うことができる。なお、この時、支持部２０を立てた状態から折り畳み状態とすると、表示機器３０ａは、上下反対に設置された状態となる。このため、画像処理等により、表示機器３０ａの表示画像を上下反対に変更する。こうすることで、表示画像を正しく表示することができる。
【００３６】
支持部２０を折り畳むことでスタンド１の高さが低くなる。例えば、折り畳み時の支持部２０の高さが、図１乃至５に示す非折り畳み時の略半分になる。よって、スタンド１の高さを低くすることができる。これにより、スタンド１が小型化され、エレベータなどの搬送機器での搬送が容易となる。すなわち、搬送中に、表示システムが、ドアなどに引っかかるのを防ぐことができる。また、天井が低い箇所に設置することも可能となり、様々なレイアウトで利用することができる。
【００３７】
なお、折り畳み状態では、図３で示したヒンジストッパ２８が、ヒンジ２４の上部を覆うためのカバーとして利用されている。この構成について、図１３、及び図１４を用いて説明する。図１３は、非折り畳み状態（支持部２０を立てた状態）におけるヒンジ２４近傍の構成を示す背面斜視図であり、図１４は、折り畳み状態（ヒンジ２４で支持部２０で折り曲げた状態）におけるヒンジ２４近傍の構成を示す背面斜視図である。
【００３８】
図１３に示すように、ヒンジ２４の左右両側において、背面化粧板２２にヒンジストッパ２８がネジなどにより取り付けられている。ヒンジストッパ２８は、背面化粧板２２ａと背面化粧板２２ｂとを連結する板状の剛直部材である。このヒンジストッパ２８によって、ヒンジ２４の角度が固定される。支持部２０を折り畳む際には、ヒンジストッパ２８を取り外す。そして、ヒンジ２４の２つの軸を折り曲げるように、表示機器３０ａを後方側（図２の矢印ＤＲ１方向）に回動させると、図１０乃至図１２に示した折り畳み状態となる。この状態で、図１４に示すように、ヒンジストッパ２８を支持部２０の上面、すなわち、ヒンジ２４の上側に取り付ける。これにより、図１４に示すように、ヒンジ２４がカバーされた状態となり、意匠性を向上することができる。さらに、ヒンジストッパ２８に化粧板等を用いることで、より意匠性を向上することができる。
【００３９】
また、図３に示したように、支持部２０の背面側には、折り畳み時に当接するパッド２６が設けられている。折り畳み時には、パッド２６同士が当接する。すなわち、図３に示したように、パッド２６ａは背面化粧板２２ａから背面側に突出しており、パッド２６ｂが背面化粧板２２ｂから背面側に突出している。そして、支持部２０を折り畳むことで、図１１に示すように、パッド２６ａとパッド２６ｂが当接する。パッド２６はゴムや樹脂などの弾性体によって形成されているため、折り畳み時の衝撃を緩和することができる。
【００４０】
上記の説明において、２つの表示機器３０が平行となるように支持部２０を折り畳む構成としたが、折り畳む構造はこの構成に限られるものではない。例えば、山型、すなわち、上方に凸となるくの字型に屈曲するように支持部２０を折り畳むようにしてもよい。この場合、表示機器３０ｂの下側に、ヒンジを追加し、後方に傾斜できるようにすればよい。これにより、表示機器３０ａ、３０ｂのそれぞれが傾斜した状態となり、表示面が斜め上方を向くようになり、通行者等の視認性を高めることができる。
【００４１】
折り畳み構造を持たない従来の表示スタンドは、全体寸法が大きいので、エレベータ等の搬送手段を利用することができなかった。そのため、大勢の作業者が階段を使って表示スタンドを搬送しなければならないという問題点があった。本実施の形態にかかるスタンドは、折り畳み構造を有している。このため、エレベータ等の搬送手段を利用して、スタンド１を搬送することが可能になる。これにより、搬送コストを低減することが可能になる。
【００４２】
（放熱構造）
上記のように、壁寄設置、あるいは窓寄設置とした場合、壁、又は窓からの距離が小さくなる。このため、表示機器３０で発生した熱を逃がすスペースが小さくなり、設置状況によっては、十分に放熱することができなくなる恐れがある。従って、本実施形態にかかるスタンド１では、図１５に示すような放熱構造を採用している。図１５は、折り畳み状態における、支持部２０と表示機器３０の構成を示す断面図であり、図１１のＳＥＣ１−ＳＥＣ１断面図を示している。なお、図１５は、水平方向における断面図を示している。例えば、図１５における左側が表示機器３０ｂとなり、右側が表示機器３０ａとなっている。なお、表示機器３０ａと表示機器３０ｂを支持する構成については同一であるため、図１５は左右対称になっている。
【００４３】
まず、表示機器３０の構成に付いて説明する。表示機器３０は、液晶表示装置であり、導光板３１と、液晶セル３２と、ＬＥＤ３３と、背面板３４と、フロントキャビネット３５と、基板３６と、マイコン３７と、熱伝導シート３８と、ケース３９と、を備えている。表示機器３０において、ＬＥＤ３３とマイコン３７が主たる発熱源となっている。ＬＥＤ３３は、表示機器３０の側部に設けられ、マイコン３７は表示機器３０の背面側に設けられている。
【００４４】
表示機器３０は、いわゆるエッジライト方式の液晶表示装置である。ＬＥＤ（Ｌｉｇｈｔ  Ｅｍｉｔｔｉｎｇ  Ｄｉｏｄｅ）３３が、導光板３１の両サイドに設けられている。ＬＥＤ３３から出射した光は、導光板３１の側面に入射する。そして、導光板３１に入射した光は、導光板３１の内部で全反射を繰り返して、液晶セル３２に向けて出射する。そして、液晶セル３２を通過した光が、視認される。液晶セル３２には、マイコン３７、及び基板３６からの画像表示信号が入力されている。マイコン３７は、液晶セル３２、及びＬＥＤ３３などを制御する制御部である。マイコン３７からの画像表示信号によって、液晶セル３２を通過する光が制御される。よって、表示機器３０が所望の画像を表示する。
【００４５】
図１５に示すように、導光板３１、ＬＥＤ３３、及び液晶セル３２は、背面板３４とフロントキャビネット３５とで形成された空間に収納される。背面板３４は背面から側面に設けられている。そして、背面板３４にＬＥＤ３３が取り付けられている。フロントキャビネット３５は、前面から側面に設けられている。フロントキャビネット３５には、表示画面に応じた開口部が設けられている。背面板３４の背面には、基板３６、及びマイコン３７が設けられている。上記の通り、マイコン３７によって生成された画像表示信号が、基板３６を介して、液晶セル３２に出力される。さらに、マイコン３７と基板３６は、ケース３９内に収納される。すなわち、背面板３４とケース３９とで形成される空間に、マイコン３７と基板３６が収納される。これにより、基板３６、及びマイコン３７はケース３９で覆われた構成となる。ケース３９には、外部への映像入出力端子やメモリスロットやＤＶＤ（Ｄｉｇｉｔａｌ  Ｖｅｒｓａｔｉｌｅ  Ｄｉｓｋ）などを読み取るディスクドライブ等を有するインターフェース部（図示せず）が設けられている。
【００４６】
ケース３９の内部には、熱伝導シート３８が設けられている。マイコン３７で発生した熱は、熱伝導シート３８を介して、ケース３９に伝導する。例えば、熱伝導シート３８は、マイコン３７、及びケース３９と面接触している。マイコン３７からの熱が、熱伝導シート３８に伝わり、熱伝導シート３８の熱がケース３９に伝わる。こうすることで、マイコン３７で発生した熱が表示機器３０の外部に放熱される。なお、図１５に示す例では、２つのマイコン３７が設けられており、それぞれのマイコン３７に熱伝導シート３８が接触している。
【００４７】
また、表示機器３０は、フレーム２５に取り付けられている。具体的には、背面板３４、及びフロントキャビネット３５がフレーム２５の枠辺内に配置されている。そして、フレーム２５はＬＥＤ３３を収納するように配置されている。すなわち、断面コの字型のフレーム２５の枠辺内部にＬＥＤ３３が配置された構成となる。ＬＥＤ３３の背面には、背面板３４を介して、フレーム２５が配置されている。フレーム２５の背面側には、ダクト２３が取り付けられている。さらに、２つのダクト２３の間に、支柱２１が配置される。そして、支柱２１の背面側に、背面化粧板２２が取り付けられている。背面化粧板２２は、支柱２１を覆っている。なお、支柱２１を中空の部材として、支持部２０の軽量化を図っている。
【００４８】
ここで、ダクト２３、フレーム２５、支柱２１、背面化粧板２２は、熱伝導率の高い金属等によって形成されている。例えば、ダクト２３、フレーム２５、支柱２１、背面化粧板２２はＡｌ等の軽量かつ、熱伝導率の高い材質によって形成されている。ダクト２３、フレーム２５、支柱２１、背面化粧板２２がヒートシンクとして機能する。熱源からの熱がダクト２３、フレーム２５、支柱２１、背面化粧板２２を伝わって放熱される。例えば、フレーム２５とダクト２３は面接触している。これらは、ネジなどで固定されている。また、支柱２１は、ダクト２３とケース３９と背面化粧板２２と面接触している。このような構成とすることで、効率よく放熱することができ、温度上昇を低減することができる。
【００４９】
具体的には、ＬＥＤ３３で発生した熱は、背面板３４等を介して、フレーム２５に伝わる。フレーム２５は、ＬＥＤ３３が設けられた箇所の背面側、及び側面側に配設されている。フレーム２５とダクト２３とは面接触しており、フレーム２５の熱はダクト２３に伝わる。フレーム２５、及びダクト２３がヒートシンクとして機能する。また、マイコン３７からの熱は、熱伝導シート３８等を介して、ケース３９に伝わる。ケース３９の熱は、支柱２１を介して、ダクト２３、及び背面化粧板２２に伝わる。ダクト２３、及び背面化粧板２２は、外部に露出しており、表面積も大きい。これらがヒートシンクとして機能することで、効率よく放熱することができる。
【００５０】
さらに、熱せられた空気は上下に沿って設けられたダクト２３の内部を通過する。すなわち、ダクト２３とケース３９と背面板３４とで形成された空間を、熱せられた空気が通過する。熱せられた空気は、ダクト２３の上方から放出される。これにより、効率よく放熱することができる。また、ダクト２３の途中に、ダクト２３の内外を連通する貫通孔を設けても良い。
【００５１】
また、空気の流れを良くするために、ダクト２３の上端及び下端を斜めに切り欠いている。例えば、図１３に示すように、ダクト２３ａの下側の端部２９ａが、斜め上に傾斜している。また、ダクト２３ｂの上側の端部２９ｂが斜め下に傾斜している。このようにすることで、ダクト２３ａとダクト２３ｂの間の空間が外部に連通する。図１６に示すように、ダクト２３ａの上端だけでなく、ダクト２３ｂの上端からも熱せられた空気が外部に放出される。さらに、ダクト２３ａの下端から、外部の空気を流入することができる。よって、空気の流れを良くすることができ、放熱効果を向上することができる。これにより、効率よく放熱することができ、温度上昇を低減することができる。また、このように端部２９ａと端部２９ｂを切り欠くことで、折り畳んだ状態での機械的な干渉を避けることができる。なお、スタンド１に温度センサを設けて、一定以上の温度となった場合、表示機器３０をＯＦＦしてもよい。これにより、発熱が止まるため、表示機器３０の熱破壊を防ぐことができる。
【００５２】
（熱源配置）
次に、温度上昇を防止するための好適な熱源配置について、図１７を用いて説明する。図１７は、表示機器３０における熱源の配置を模式的に示す正面図である。図１７では、表示機器３０ａに２つの熱源４０ａが存在している。ここでは、熱源４０ａが斜めに配列されている。具体的には、一つ目の熱源４０ａが左上側に配置され、二つ目の熱源４０ａが右下側に配置されている。また、表示機器３０ｂにも同様に熱源４０ｂが存在している。熱源４０ａは、例えば、上記のマイコン３７である。このように、正面視において、表示機器３０ａの中心から熱源４０ａをずらして配置し、表示機器３０ｂの中心から熱源４０ｂをずらして配置する。図１７では、折り畳み状態における熱源４０ａの位置を熱源４１ａとして点線で示している。こうすることで、折り畳んだ状態では、正面視において、熱源４１ａと熱源４０ｂがずれた状態となる。熱源を分散配置することで、局所的な温度上昇を抑制することができる。すなわち、折り畳み状態において、正面視で熱源４０が重畳されてしまう構成となると、熱源４０の重畳位置での温度上昇が大きくなってしまう。熱源４０の位置を表示機器３０の中心位置からずらすことで、温度が局所的に高くなるのを防ぐことができる。このようにすることで、表示機器３０の熱破壊を防ぐことができる。
【００５３】
また、熱源４０が上下に長い場合、折り畳み状態で、熱源４０が対向してしまう。この場合、一方の表示機器３０を上下反対に配置したりすることで、熱源４０の位置を左右横方向にずらすことができる。例えば、図１８に示すように、上側の表示機器３０ａでは、左側に縦長の熱源４０ａがあるとする。この場合、下側の表示機器３０ｂを上下反対に固定する。これにより、縦長の熱源４０ｂが表示機器３０ｂの右側に配置される。折り畳み状態の熱源４０ａが熱源４１ａで示す点線の位置となる。なお、上下反対に配置した場合、画像処理などで、表示機器３０の表示画像を上下正常に表示させる。このように熱源４０を配置することで、左右に熱源４０の位置をずらすことができる。よって、局所的な温度上昇を防ぐことができる。なお、上記の説明では、熱源４０をマイコン３７としたが、ＬＥＤ３３の場合も、同様に配置としても良い。例えば、ＬＥＤ３３を片側のみのエッジライト方式として、表示機器３０ａと表示機器３０ｂとで、左右反対側にＬＥＤ３３を配置する。こうすることで、温度上昇を防ぐことができる。もちろん、熱源４０の配置が異なるような設計の表示機器３０ａと表示機器３０ｂを用いてもよい。この場合、一方の表示機器３０を上下反対に設置する必要がなくなる。また、ヒンジ２４を伸長した状態で、熱源４０ｂの熱流が矢印ＨＬのように生じても、熱源４０ａには直接当たらないので、熱源４０ａの温度上昇を抑制することができる。
【００５４】
（その他）
表示機器３０には、外部から画像表示用のデータを供給してもよく、表示機器３０に内蔵されるメモリやディスクなどから映像信号を供給しても良い。さらには、表示機器３０に対する画像表示用のデータの供給は、有線で行っても良く、無線で行っても良い。さらに、画像表示用のデータは、ネットワーク経由で供給してもよい。
【００５５】
上記の説明では、表示機器３０を液晶表示装置としたが、表示機器３０として、例えば、プラズマディスプレイや有機エレクトロルミネッセンス（ＥＬ）ディスプレイやＬＥＤディスプレイや電界放出（ＦＥＤ）ディスプレイ等の他の薄型電子表示機器を用いてもよい。上記のスタンド１は、特に、大型の薄型ディスプレイの支持、設置に好適である。表示機器３０とスタンド１とを備える表示システムは、コンビニエンスストアや飲食店の店舗などに展示される電子看板などに好適である。さらには、表示機器３０は、看板やポスター板などの表示物であってもよい。すなわち、本実施形態にかかるスタンドは、表示物用のスタンドとして、利用することができる。表示物と表示物を支持するスタンドを有する表示システムを様々な箇所に設置することができ、効果的な表示が可能になる。また、スタンド１に鉛直方向の回転軸を持つ回転機構を設け、表示物の表示面を任意の方向に変えることができるようにしてもよい。
【符号の説明】
【００５６】
１０  台座部
１１  カバー
１２  バランスウェイト
１３  バランスウェイト
１４  ウェイト
１５  スライドレール
１６  キャスター
１７  脚部
１８  スライドストッパ
１９  ベースプレート
２０  支柱部
２１  支柱
２２  背面化粧板
２３  ダクト
２４  ヒンジ
２５  フレーム
２６  パッド
２７  可動台
２８  ヒンジストッパ
３０  表示機器
３１  導光板
３２  液晶セル
３３  ＬＥＤ
３４  背面板
３５  フロントキャビネット
３６  基板
３７  マイコン
３８  熱伝導シート
３９  ケース
４０  発熱源
【図１】
2011221428.tif 000003
【図２】
2011221428.tif 000004
【図３】
2011221428.tif 000005
【図４】
2011221428.tif 000006
【図５】
2011221428.tif 000007
【図６】
2011221428.tif 000008
【図７】
2011221428.tif 000009
【図８】
2011221428.tif 000010
【図９】
2011221428.tif 000011
【図１０】
2011221428.tif 000012
【図１１】
2011221428.tif 000013
【図１２】
2011221428.tif 000014
【図１３】
2011221428.tif 000015
【図１４】
2011221428.tif 000016
【図１５】
2011221428.tif 000017
【図１６】
2011221428.tif 000018
【図１７】
2011221428.tif 000019
【図１８】
2011221428.tif 000020